(57)【要約】【課題】従来の福祉用具のビーズスティック図１０は、手・指の硬直状態が軽度の人、手にある程度柔軟性が出てきた人にとっては小さすぎて硬直、拘縮予防に効果がないという問題があった。また使用者にとって指の挿入も困難で時間的負担があった。【解決手段】手と指の硬直と拘縮予防装具本体１の大きさを手と指を伸ばせる程度の大きさの直方体に設けて、内部にポリスチレンビーズ３を内蔵し、指（中指・人差し指・薬指）が挿入される部分に伸縮性のもの２や、先端を分割し各々面ファスナー５を取り付けた帯状部材のもの４を設け、装着が容易になる。また、手と指の硬直と拘縮予防装具本体１にさらに柔らかい感触の洗濯可能な綿６を内蔵し設けた。以上により手・指の硬直状態が軽度の人の手・指の硬直、拘縮、ただれ、臭い、蒸れ防止に役立つ。また、洗濯でき、通気性が良く、衛生的である。【選択図】図１
0003124109.tif 000002
【実用新案登録請求の範囲】
【請求項１】
手と指を伸ばせる程度の幅を持った直方体で、綿とポリエステル製の柔らかい素材を有し、伸縮材料を内蔵し、握り部は指を挿入できる伸縮性の輪が取り付けられていて指（中指・人差し指・薬指）が挿入できるようにされている手と指の硬直と拘縮予防装具。
【請求項２】
前記輪の代用として、先端に面ファスナーが取り付けられ各々が生地に取り付けられた綿とポリエステル製の左右帯状部材分割体を設け、左右の綿ファスナーにより帯状分割体をくっつけて、指（中指・人差し指・薬指）が挿入出来るようにされている請求項１記載の手と指の硬直と拘縮予防装具。
【請求項３】
前記伸縮材料はポリスチレンビーズからなることを特徴とする請求項１記載の手と指の硬直と拘縮予防装具。
【請求項４】
前記伸縮材料は、洗濯可能な綿からなることを特徴とする請求項１記載の手と指の硬直と拘縮予防装具。
【考案の詳細な説明】
【技術分野】
【０００１】
本考案は、手と指の硬直、拘縮、手のただれ、臭い、蒸れ防止に関するものである。
【背景技術】
【０００２】
様々な病気や事故により、片半身が麻痺した人は、徐々に手や指も硬直・拘縮状態になり、リハビリしない時間や、睡眠中にも手と指は硬直・拘縮状態が続く。福祉用具として従来のビーズスティックには、大きさだけ異なる、直径約２．５ｃｍ（小）、約４ｃｍ（中）、約６ｃｍ（大）の３種類の直方体のものがある（例えば、非特許文献１）が、手と指の硬直・拘縮の状態が初期段階の人にとっては従来のビーズスティックでは小さすぎて、効果的ではない。
【０００３】
以下、図１０、図１１、図１２により従来のビーズスティックについて説明する。本体はポリエステル素材で、内部にポリスチレンビーズを内蔵している。指（中指・人差し指・薬指）が挿入できるようにされているポリエステル製の輪を設けている。
【０００４】
指を輪の部分に通して握るように装着するように設けている。
【０００５】
【非特許文献１】「福祉用具販売カタログＶｏ１．８−１」、太陽セランド株式会社、ｐ．９
【考案の開示】
【考案が解決しようとする課題】
【０００６】
以上に述べた従来のビーズスティックでは、硬直・拘縮状態が初期段階の人にとって、また、リハビリである程度手に柔軟性が出てきた人にとっては本体の握る部分が小さすぎて、手と指を大きく広げて伸ばすことができないので、硬直・拘縮状態を防止できない問題点がある。また、指が挿入出来るようになっている部分は、伸縮性のないポリエステル製なので装着が困難で時間的負担がある。
【０００７】
本考案はこのような問題を解決しようとするものである。
【課題を解決するための手段】
【０００８】
本考案の第１の課題解決手段は、綿とポリエステル製の素材で、手と指を伸ばせる程度の幅を持った直方体の大きさ、好ましくは縦１０ｃｍ、横１２ｃｍ、高さ６ｃｍを設け、内部にポリスチレンビーズを内蔵し、指が挿入できるように幅数ｃｍくらい、好ましくは２ｃｍくらいの長さの伸縮性のゆとりある輪を設け、指（中指・人差し指・薬指）を挿入し装着する。
【０００９】
第２の課題解決手段は、綿とポリエステル製の素材で手と指を伸ばせる程度の幅を持った直方体の大きさ、好ましくは縦１０ｃｍ、横１２ｃｍ、高さ６ｃｍくらいを設け内部にポリスチレンビーズを内蔵し、指を挿入する部分に幅数ｃｍくらい、好ましくは２ｃｍくらいの幅で各々に面ファスナーを先端に取り付けた綿とポリエステル製の帯状部材分割体を左右対になるように各々設け、指（中指・人差し指・薬指）を挿入し、面ファスナーにより留めて装着する。
【００１０】
第３の課題解決手段は、綿とポリエステル製素材で手と指を伸ばせる程度の幅を持った直方体の大きさを、好ましくは縦１０ｃｍ、横１２ｃｍ、高さ６ｃｍくらいを設け、内部に洗濯できる綿を内蔵し、指の挿入部に幅数ｃｍ、好ましくは幅２ｃｍくらいの長さの伸縮性のゆとりのある輪を設け、指（中指・人差し指・薬指）を挿入し装着する。
【考案の効果】
【００１１】
上述のように、本考案の手と指の硬直と拘縮予防装具は、本体の大きさを変え、綿とポリエステル製の生地を使用し、内蔵されたポリスチレンビーズまたは綿は感触や通気性も良く、洗濯可能で手・指の硬直・拘縮の状態が初期段階の人やある程度手や指に柔軟性のある人にとっては、手や指を大きく広げ伸ばすことができるので、硬直・拘縮を防止できる。しかも手の臭い、蒸れ、ただれを防止できる。また、指が挿入される部分に伸縮性の輪や面ファスナーのついた帯状部材を設けたので指の装着が簡単で時間がかからない。
【考案を実施するための最良の形態】
【００１２】
以下、添付図面に従って一実施例を説明する。
【実施例１】
【００１３】
図１においては、手と指を伸ばせる程度の幅を持った直方体の大きさ、好ましくは縦１０ｃｍ、横１２ｃｍ、高さ６ｃｍくらいで綿とポリエステル製の手と指の硬直と拘縮予防装具本体１である。２は、指（中指・人差し指・薬指）が挿入できるようにされている幅数ｃｍ、好ましくは２ｃｍくらいの伸縮性の輪で指を締めつけないように余裕のある大きさを設ける。
手と指の硬直と拘縮予防装具本体１に通気性に効果的なポリスチレンビーズ３を内蔵する。使用者の指（中指・人差し指・薬指）を伸縮性の輪の中に挿入し装着する。
【実施例２】
【００１４】
また、図４において、手と指を伸ばせる程度の幅を持った直方体の大きさ、好ましくは縦１０ｃｍ、横１２ｃｍ、高さ６ｃｍくらいを設け、綿とポリエステル製の手と指の硬直と拘縮予防装具本体１に通気性に有効なポリスチレンビーズ３を内蔵し、先端に面ファスナー５が取り付けられ、各々が生地に取り付けられた幅数ｃｍ、好ましくは２ｃｍくらいの綿とポリエステル製で左右帯状部材４分割体を各々設け、使用者の指（中指・人差し指・薬指）を挿入し、面ファスナー５により留めて手に装着する。
【実施例３】
【００１５】
さらに、図７において手と指を伸ばせる程度の幅を持った直方体の大きさ、好ましくは縦１０ｃｍ、横１２ｃｍ、高さ６ｃｍくらいで、綿とポリエステル製の手と指の硬直と拘縮予防装具本体１に、通気性に効果的な洗濯できる綿６を内蔵し、使用者が指（中指・人差し指・薬指）を挿入できるように幅数ｃｍ、好ましくは２ｃｍくらいの伸縮性の輪２を設けて装着する。
【産業上の利用可能性】
【００１６】
麻痺の障害を持つ人たちへの医療福祉用具として有用なものである。
【図面の簡単な説明】
【００１７】
【図１】本考案の手と指の硬直と拘縮予防装具の実施例を示す正面図（直方体。指挿入部、伸縮性。ポリスチレンビーズ内蔵）
【図２】同手と指の硬直と拘縮予防装具の立面図
【図３】同予防装具の図１におけるＡ−Ａ線断面図
【図４】本手と指の硬直と拘縮予防装具正面図（直方体。指挿入部、面ファスナー付き帯状部材。ポリスチレンビーズ内蔵）
【図５】同予防装具の図４における立面図
【図６】同予防装具の図４におけるＢ−Ｂ線断面図
【図７】本手と指の硬直と拘縮予防装具正面図（直方体。指挿入部、面ファスナー付き帯状部材。綿内蔵）
【図８】同予防装具の図７における立面図
【図９】同予防装具の図７におけるＣ−Ｃ線断面図
【図１０】従来のビーズスティックの正面図（直径約２．５ｃｍ（小）、約４ｃｍ（中）、約６ｃｍ（大）の直方体。指挿入部、ポリエステル製。ポリスチレンビーズ内蔵）
【図１１】同ビーズスティックの図１０における立面図
【図１２】同ビーズスティックの図１１におけるＤ−Ｄ線断面図
【符号の説明】
【００１８】
１．手と指の硬直と拘縮予防装具本体（綿、ポリエステル製）
２．伸縮性の輪
３．ポリスチレンビーズ
４．帯状部材（綿、ポリエステル製）
５．面ファスナー
６．綿
７．従来のビーズスティック本体（ポリエステル製）
８．従来の帯状部材（ポリエステル製）
【図１】
0003124109.tif 000003
【図２】
0003124109.tif 000004
【図３】
0003124109.tif 000005
【図４】
0003124109.tif 000006
【図５】
0003124109.tif 000007
【図６】
0003124109.tif 000008
【図７】
0003124109.tif 000009
【図８】
0003124109.tif 000010
【図９】
0003124109.tif 000011
【図１０】
0003124109.tif 000012
【図１１】
0003124109.tif 000013
【図１２】
0003124109.tif 000014